(57)【要約】【課題】排水口から洗浄水循環経路に吸い込まれる洗浄水の流れを改善し、洗浄力を維持するとともに残菜フィルタの清掃頻度を少なくした食器洗い機を提供することを目的とする。【解決手段】本体１内に設けられ、食器等の被洗浄物６を収容する洗浄槽２と、洗浄槽２内に収容された被洗浄物６を洗浄する第１の回転洗浄ノズル１４等の洗浄装置と、洗浄槽２の底部に設けられた排水口１９と、洗浄槽２内の洗浄水を前記洗浄装置に送水する洗浄ポンプ２２と、排水口１９と洗浄ポンプ２２とを連通する洗浄水循環経路２１と、排水口１９に着脱自在に固定される残菜フィルタ２３とを備え、排水口１９に主部が円環状に形成されて設けられた循環排水室４６内に、排水口１９から洗浄水循環経路２１に洗浄水が吸い込まれる複数の吸込口６１が放射状に配設されて構成されたことにより、上記課題を解決することができる。【選択図】図１７
2019080602.tif 000002
【特許請求の範囲】
【請求項１】
本体と、
前記本体内に設けられ被洗浄物を収容する洗浄槽と、
前記被洗浄物を洗浄する洗浄装置と、
前記洗浄槽の底部に設けられた排水口と、
前記洗浄槽内の洗浄水を前記洗浄装置に送水する洗浄ポンプと、
前記排水口と前記洗浄ポンプとを連通する洗浄水循環経路と、
前記排水口に着脱自在に固定される残菜フィルタとを備え、
前記排水口に主部が円環状に形成された循環排水室が設けられ、
前記循環排水室内に前記排水口から前記洗浄水循環経路に洗浄水が吸い込まれる複数の吸込口が放射状に配設されて構成された、
食器洗い機。
【請求項２】
前記放射状に配設された複数の吸込口は、前記循環排水室内に複数の整流リブが放射状に設けられて形成された、
請求項１に記載の食器洗い機。
【請求項３】
前記放射状に配設された複数の吸込口に、吸い込まれる洗浄水の流れを下方に導く遮蔽リブが設けられた、
請求項１または２に記載の食器洗い機。
【請求項４】
前記循環排水室の上部に円周状に複数の上部吸込口が設けられ、
前記上部吸込口は、前記放射状に配設された複数の吸込口に対応する位置に配設された、請求項１〜３のいずれか１項に記載の食器洗い機。
【請求項５】
前記循環排水室の内周に複数の内周吸込口が設けられ、
前記内周吸込口は、前記放射状に配設された複数の吸込口に対応する位置に配設された、請求項１〜４のいずれか１項に記載の食器洗い機。
【請求項６】
前記循環排水室の前記洗浄水循環経路に連通する部分の近傍に、流路制御リブが設けられた、
請求項１〜５のいずれか１項に記載の食器洗い機。
【請求項７】
前記流路制御リブは、主部が円環状に形成された前記循環排水室の中心と前記循環排水室の前記洗浄水循環経路に連通する部分とを結ぶ直線上に、少なくとも一部が位置するように設けられた、
請求項６に記載の食器洗い機。
【発明の詳細な説明】
【技術分野】
【０００１】
本発明は、洗浄槽内に収納された食器等の被洗浄物を洗浄する食器洗い機に関するもので、特に、排水口に関する。
【背景技術】
【０００２】
従来の食器洗い機は、洗浄槽の底部に位置する排水口に設けられた残菜フィルターによって残菜や汚れが除去された洗浄水が、洗浄ポンプによって排水口から洗浄水循環経路に吸い込まれて洗浄ノズルに圧送され、洗浄ノズルから噴射されて被洗浄物を洗浄するものが一般的であった（例えば、特許文献１参照）。
【０００３】
図２２は、特許文献１に記載された食器洗い機の排水口部の要部縦断面図である。図２２に示されるように、洗浄槽１０１の底部に排水口部１０２が設けられている。排水口部１０２の外周壁の下方の一部から洗浄配管経路部１０３が延設されている。洗浄配管経路部１０３は、洗浄ポンプおよび洗浄ノズルに連通されている。排水口部１０２の底部から排水配管経路部１０４が延設されている。排水口部１０２の上方にフィルター１０５が載置されている。洗浄ノズルから噴射され、被洗浄物を洗浄し洗浄槽１０１の底部に落下した洗浄水は排水口部１０２に集められる。洗浄水は、フィルター１０５によって残菜や汚れが除去された後、洗浄ポンプによって排水口部１０２から洗浄配管経路部１０３に吸い込まれて洗浄ノズルに圧送され、洗浄ノズルから噴射される。
【先行技術文献】
【特許文献】
【０００４】
【特許文献１】特開２００２−２０９８２５号公報
【発明の概要】
【発明が解決しようとする課題】
【０００５】
しかしながら、上記特許文献１に開示された従来の食器洗い機の構成では、図２２中に矢印で示されるように、排水口部１０２内の洗浄配管経路部１０３に近い部分を流れて洗浄配管経路部１０３に吸い込まれる洗浄水の量が、他の部分を流れて洗浄配管経路部１０３に吸い込まれる洗浄水の量より圧倒的に多い。これにより、フィルター１０５の洗浄配管経路部１０３に近い部分１０５ａには、洗浄配管経路部１０３から遠い部分１０５ｂに較べて多くの残菜や汚れが付着し、早期に目詰まりを発生し、洗浄配管経路部１０３から吸い込まれて洗浄ノズルから噴射される洗浄水の勢いおよび水量が低下し、洗浄力が低下するという課題を有していた。また、フィルター１０５の一部が目詰まりを起こしたにすぎない場合でも、洗浄力を維持するために、使用者は、頻繁にフィルター１０５を取り外し、清掃しなければならないという課題を有していた。
【０００６】
本発明は、前記従来の課題を解決するもので、排水口から洗浄水循環経路に吸い込まれる洗浄水の流れを改善し、洗浄力を維持するとともに残菜フィルタの清掃頻度を少なくした食器洗い機を提供することを目的とする。
【課題を解決するための手段】
【０００７】
本発明の食器洗い機は、上記目的を達成するために、本体と、前記本体内に設けられ被洗浄物を収容する洗浄槽と、前記被洗浄物を洗浄する洗浄装置と、前記洗浄槽の底部に設けられた排水口と、前記洗浄槽内の洗浄水を前記洗浄装置に送水する洗浄ポンプと、前記排水口と前記洗浄ポンプとを連通する洗浄水循環経路と、前記排水口に着脱自在に固定される残菜フィルタとを備え、前記排水口に主部が円環状に形成された循環排水室が設けら
れ、前記循環排水室内に前記排水口から前記洗浄水循環経路に洗浄水が吸い込まれる複数の吸込口が放射状に配設されて構成されたものである。この構成によって、排水口から洗浄水循環経路に吸い込まれる洗浄水の流れを改善し、洗浄力を維持するとともに残菜フィルタの清掃頻度を少なくした食器洗い機を提供することができる。
【発明の効果】
【０００８】
本発明の食器洗い機は、排水口から洗浄水循環経路に吸い込まれる洗浄水の流れを改善し、洗浄力を維持するとともに残菜フィルタの清掃頻度を少なくした食器洗い機を提供することができる。
【図面の簡単な説明】
【０００９】
【図１】本発明の実施の形態１における食器洗い機の上扉体および下扉体が開かれた状態の正面外観斜視図
【図２】本発明の実施の形態１における食器洗い機の背面外観斜視図
【図３】本発明の実施の形態１における食器洗い機の正面図
【図４】本発明の実施の形態１における食器洗い機の要部正面断面図
【図５】本発明の実施の形態１における食器洗い機の上扉体および下扉体が閉じられた状態の側壁部断面図
【図６】本発明の実施の形態１における食器洗い機の上扉体および下扉体が開かれた状態の側面図
【図７】本発明の実施の形態１における食器洗い機の上食器かごの構成を示す斜視図
【図８】本発明の実施の形態１における食器洗い機の下食器かごの構成を示す斜視図
【図９】本発明の実施の形態１における食器洗い機の洗浄槽の水溜部および排水口の構成を示す上面断面図
【図１０】本発明の実施の形態１における食器洗い機の洗浄槽の水溜部および排水口の構成を示す、水溜部蓋が取り除かれた状態の上面断面図
【図１１】本発明の実施の形態１における食器洗い機の洗浄槽の水溜部および排水口の構成を示す図９のＡ−Ａ断面斜視図
【図１２】本発明の実施の形態１における食器洗い機の洗浄槽の水溜部および排水口の構成を示す図９のＢ−Ｂ断面斜視図
【図１３】本発明の実施の形態１における食器洗い機の洗浄槽の水溜部および排水口の構成を示す図１０のＣ−Ｃ断面図
【図１４】本発明の実施の形態１における食器洗い機の排水口の上面斜視図
【図１５】本発明の実施の形態１における食器洗い機の排水口の分解斜視図
【図１６】本発明の実施の形態１における食器洗い機の排水口外郭部材の要部断面下面斜視図
【図１７】本発明の実施の形態１における食器洗い機の排水口の上面断面図
【図１８】本発明の実施の形態１における食器洗い機の排水口の構成を示す図１４のＡ−Ａ断面図
【図１９】本発明の実施の形態１における食器洗い機の排水口の構成を示す図１４のＢ−Ｂ断面図
【図２０】本発明の実施の形態１における食器洗い機の残菜フィルタに関連する部分の分解斜視図
【図２１】本発明の実施の形態１における食器洗い機の洗浄およびすすぎ動作時の残菜フィルタおよび排水口まわりの洗浄水の流れを示す説明図
【図２２】従来の食器洗い機の排水口部の要部縦断面図
【発明を実施するための形態】
【００１０】
第１の発明の食器洗い機は、本体と、前記本体内に設けられ被洗浄物を収容する洗浄槽と、前記被洗浄物を洗浄する洗浄装置と、前記洗浄槽の底部に設けられた排水口と、前記
洗浄槽内の洗浄水を前記洗浄装置に送水する洗浄ポンプと、前記排水口と前記洗浄ポンプとを連通する洗浄水循環経路と、前記排水口に着脱自在に固定される残菜フィルタとを備え、前記排水口に主部が円環状に形成された循環排水室が設けられ、前記循環排水室内に前記排水口から前記洗浄水循環経路に洗浄水が吸い込まれる複数の吸込口が放射状に配設されて構成されたものである。
【００１１】
この構成によって、排水口の循環排水室に流れ込んだ洗浄水の流れを洗浄水循環経路に近い部分に集中させず効果的に分散させ、洗浄水を洗浄水循環経路にスムーズに吸い込ませることができる。したがって、排水口から洗浄水循環経路に吸い込まれる洗浄水の流れを改善し、洗浄力を維持するとともに残菜フィルタの清掃頻度を少なくした食器洗い機を提供することができる。
【００１２】
第２の発明は、特に、第１の発明において、前記放射状に配設された複数の吸込口は、前記循環排水室内に複数の整流リブが放射状に設けられて形成されたものである。この構成によって、簡単な構成で循環排水室内に流れ込んだ洗浄水の流れを整流して洗浄水循環経路に近い部分に集中させず効果的に分散させ、洗浄水を洗浄水循環経路にスムーズに吸い込ませることができる。
【００１３】
第３の発明は、特に、第１または第２の発明において、前記放射状に配設された複数の吸込口に、吸い込まれる洗浄水の流れを下方に導く遮蔽リブが設けられたものである。この構成によって、吸込口から洗浄水循環経路に吸い込まれる洗浄水の流れを下方に導き、洗浄ポンプにおけるエア咬みの発生を防止することができる。
【００１４】
第４の発明は、特に、第１〜第３のいずれかの発明において、前記循環排水室の上部に円周状に複数の上部吸込口が設けられ、前記上部吸込口は、前記放射状に配設された複数の吸込口に対応する位置に配設されたものである。この構成によって、循環排水室の上部に落下してきた洗浄水を個々の吸込口に流入させ、洗浄水の流れを洗浄水循環経路に近い部分に集中させず効果的に分散させることができる。
【００１５】
第５の発明は、特に、第１〜第４のいずれかの発明において、前記循環排水室の内周に複数の内周吸込口が設けられ、前記内周吸込口は、前記放射状に配設された複数の吸込口に対応する位置に配設されたものである。この構成によって、残菜フィルタを通過してきた洗浄水を個々の吸込口に流入させ、洗浄水の流れを洗浄水循環経路に近い部分に集中させず効果的に分散させることができる。また、排水口および残菜フィルタに設けられた洗浄水拡散部とも共働して、洗浄水をより効果的に分散させて個々の吸込口に流入させることができる。
【００１６】
第６の発明は、特に、第１〜第５のいずれかの発明において、前記循環排水室の前記洗浄水循環経路に連通する部分の近傍に、流路制御リブが設けられたものである。この構成によって、洗浄水循環経路に近い位置の吸込口から流出した洗浄水の流路を、洗浄水循環経路に向かって短絡せず迂回するように制御し、洗浄水を流路制御リブの円弧形状の側面によって抵抗を少なくしつつ洗浄水循環経路に導くことができる。
【００１７】
第７の発明は、特に、第６の発明において、前記流路制御リブは、主部が円環状に形成された前記循環排水室の中心と前記循環排水室の前記洗浄水循環経路に連通する部分とを結ぶ直線上に、少なくとも一部が位置するように設けられたものである。この構成によって、洗浄水を洗浄水循環経路に向かって短絡せず迂回させる流路制御を、確実に行わせることができる。
【００１８】
以下、本発明の実施の形態について、図面を参照しながら説明する。なお、この実施の
形態によって本発明が限定されるものではない。
【００１９】
（実施の形態１）
図１は、本発明の実施の形態１における食器洗い機の上扉体および下扉体が開かれた状態の正面外観斜視図である。図２は、本発明の実施の形態１における食器洗い機の背面外観斜視図である。図３は、本発明の実施の形態１における食器洗い機の正面図である。図４は、本発明の実施の形態１における食器洗い機の要部正面断面図である。図５は、本発明の実施の形態１における食器洗い機の上扉体および下扉体が閉じられた状態の側壁部断面図である。図６は、本発明の実施の形態１における食器洗い機の上扉体および下扉体が開かれた状態の側面図である。図７は、本発明の実施の形態１における食器洗い機の上食器かごの構成を示す斜視図である。図８は、本発明の実施の形態１における食器洗い機の下食器かごの構成を示す斜視図である。
【００２０】
図１〜図６に示されるように、食器洗い機の本体１の内部には、樹脂製の洗浄槽２が設けられている。洗浄槽２の前面には、食器等の被洗浄物６が出し入れされる開口部３が設けられている。開口部３の上部と下部をそれぞれ上扉体４と下扉体５によって開閉するよう構成されている。
【００２１】
開口部３の周囲の前面には、例えばシリコンゴム等の弾性体からなるシール部材９が取り付けられている。シール部材９と、上扉体４に設けられた上扉体シール受け部（図示せず）と、下扉体５に設けられた下扉体シール受け部（図示せず）とによって、開口部３のシール部が構成されている。上扉体４の下端部には扉体間シール部材６８（図示せず）が取り付けられており、上扉体４と下扉体５とが閉じられたとき、上扉体４の下端部と下扉体５の上端部との間のシール性が確保されるよう構成されている。
【００２２】
上扉体４と下扉体５は、洗浄槽２の左右の外側壁に設けられた一対の扉体開閉機構１０によって連動して回動されて開閉される。上扉体４と下扉体５は、開口部３の前側下方にその内面が上向きで略水平となる位置まで開成されるよう構成されている。上扉体４と下扉体５は、開成されたとき、上扉体４が下扉体５の上に重なるように位置する。
【００２３】
下扉体５の前面には、扉体オープンボタン１１が設けられている。上扉体４および下扉体５を開口部３に閉成された状態で洗浄槽２にロックする扉体ロック装置１２が、洗浄槽２の外側壁に設けられている。使用者が扉体オープンボタン１１を押し込むと、扉体ロック装置１２はロックが解除され、下扉体５が下端部を中心に少し回動され、上端部が、使用者の指が掛けられる程度前方に開かれるよう構成されている。なお、上扉体４および下扉体５を開く方式は、開放方向への付勢力によって自動で開成状態まで開かれるような方式であってもよい。
【００２４】
下扉体５の前面に、操作表示部１３が設けられている。操作表示部１３は、食器洗い機の運転を制御する制御部（図示せず）と電気的に接続されており、制御部と運転に関する情報をやりとりする。制御部は、洗い工程、すすぎ工程および乾燥工程を制御し、被洗浄物６の洗浄運転を実行する。使用者は、操作表示部１３を操作して、運転コースの選択および洗浄、すすぎ、乾燥の時間や回数等の条件を入力する。また、使用者は、操作表示部１３に表示される情報によって、選択された運転コースや運転状況の確認を行うことができる。
【００２５】
洗浄槽２の内部には、食器等の被洗浄物６がセットされる上食器かご７および下食器かご８が収納されている。上食器かご７および下食器かご８は、いずれも洗浄槽２の左右の内側面２ａ、２ｂに設けられた上食器かごガイドレール７１および下食器かごガイドレール８１によって、前後方向に個別に移動可能に支持されている。上食器かご７および下食
器かご８は、上扉体４と下扉体５が開成されたとき、洗浄槽２の前面の開口部３より前方に引き出すことが可能である。また、上食器かご７および下食器かご８は、それぞれ上食器かごガイドレール７１および下食器かごガイドレール８１から取り外し可能である。
【００２６】
図７に示されるように、上食器かご７は、上食器かご本体７７と、上食器かご本体７７の左側に載置される第１のセットかご７８と、上食器かご本体７７の右側に載置される第２のセットかご７９と、上食器かご本体７７の左右に固定される側面部材７３とから構成されている。第１のセットかご７８は、着脱可能ではあるが、通常、上食器かご本体７７に取り付けられて使用される。
【００２７】
図８に示されるように、下食器かご８は、下食器かご本体８７と、下食器かご本体８７の左側に載置される第３のセットかご８８と、下食器かご本体８７の中央やや右寄りに載置される小物入れ８９と、下食器かご本体８７の左右に固定される側面部材８３とから構成されている。第３のセットかご８８は、着脱可能ではあるが、通常、下食器かご本体８７に取り付けられて使用される。
【００２８】
洗浄槽２の内部に洗浄水を供給する給水部が備えられている。給水部は、本体１に設けられた給水弁（図示せず）と、給水弁と洗浄槽２とを接続する内部給水配管と、給水弁と水道水配管とを接続する給水ホース９６とによって構成されている。制御部が、洗浄槽２の内部と連通する水位センサ（図示せず）からの情報に基づいて給水弁を制御し、洗浄工程およびすすぎ工程において、洗浄槽２の内部に所定量の洗浄水を供給する。
【００２９】
図４に示されるように、洗浄槽２内の下部に、複数設けられた噴射孔から洗浄水を噴射する第１の回転洗浄ノズル１４および第２の回転洗浄ノズル１５が配設されている。洗浄槽２の内部の背面には、洗浄槽２の内壁に沿わせてほぼ十字形状の固定洗浄ノズル１６が配設されている。固定洗浄ノズル１６は、扁平な筒状に形成されており、洗浄槽２の内部スペースを広く確保している。第３の回転洗浄ノズル１７は、上食器かご７の左側下方に配設されている。第３の回転洗浄ノズル１７は、洗浄水を噴射する複数の噴射孔を上面に備え、上食器かご７の左側に収容された被洗浄物６に向けて、すぐ真下から洗浄水を噴射する。
【００３０】
洗浄槽２内に収容された被洗浄物６に向けて、第１の回転洗浄ノズル１４、第２の回転洗浄ノズル１５、固定洗浄ノズル１６、および固定洗浄ノズル１６と連通された第３の回転洗浄ノズル１７から洗浄水が順番に噴射されることにより、被洗浄物６は洗浄される。
【００３１】
図５に示されるように、すすぎ後の被洗浄物６を乾燥させる乾燥装置３０が洗浄槽２の外側部に設けられている。乾燥装置３０は、ヒータ（図示せず）、ファン３１、空気温度センサ（温度センサ２９）、送風配管３２等によって構成されている。これらの構成については、よく知られたものと同様であるので、詳しい説明は省略する。乾燥装置３０の送風配管３２は、一端が洗浄槽２内の右奥下部に設けられた乾燥用空気吹出口２ｃに連通されており、他端が洗浄槽２の右奥上端部の外側に近接させて開放されている。ファン３１は、送風配管３２の上記他端の近傍に配設されている。
【００３２】
この構成により、ファン３１によって機外から吸引された乾燥用空気は、ヒータによって加熱された後、乾燥用空気吹出口２ｃから洗浄槽２の内部に送り込まれ、被洗浄物６を乾燥させる。被洗浄物６の表面から除去された水分を含んだ湿った空気は、本体１の上面に設けられた排気口３３から機外に排出される。空気温度センサ（温度センサ２９）は、洗浄槽２の底部の乾燥用空気吹出口２ｃに近い位置の外壁に設置されている。
【００３３】
洗浄槽２の水溜部１８の構成を、図を参照して説明する。図９は、本発明の実施の形態
１における食器洗い機の洗浄槽の水溜部および排水口の構成を示す上面断面図である。図１０は、図９の状態から水溜部蓋が取り除かれた状態の上面断面図である。図１１は、図９のＡ−Ａ断面図である。図１２は、図９のＢ−Ｂ断面図である。図１３は、図１０のＣ−Ｃ断面図である。
【００３４】
洗浄槽２の底部には、洗浄工程およびすすぎ工程において、供給された洗浄水が溜められる水溜部１８が凹設されている。水溜部１８は、洗浄槽２の底部に開口する開口部１８ａが横長の概略長方形に形成され、その開口部１８ａから所定深さほぼ垂直に凹設されている。水溜部１８は、洗浄槽２の左右のほぼ中央の前部に設けられている。
【００３５】
水溜部１８のほぼ中央部には、さらに一段低い凹部が設けられている。その凹部に、排水口１９が設けられている。水溜部１８の底面は、排水口１９に向かってゆるやかに下り傾斜に形成されている。
【００３６】
水溜部１８の上部の開口部１８ａには、水溜部蓋２０が、洗浄槽２の底部と連続するように着脱自在に嵌め込まれている。水溜部蓋２０は、外周形状が水溜部１８の開口部１８ａと対応する横長の概略長方形に形成され、中央部が凹設されて凹部２０ａが形成されている。凹部２０ａの中央には、円形の開口２０ｂが設けられている。水溜部蓋２０が水溜部１８の開口部１８ａに装着されたとき、凹部２０ａは、排水口１９の直上に位置する。そして、排水口１９に後述する残菜フィルタ２３が取り付けられたとき、凹部２０ａの下面は、中央の円形の開口２０ｂと残菜フィルタ２３の第１のフィルタ５１の外縁部上面とが連続するように構成されている。
【００３７】
水溜部蓋２０は、凹部２０ａの傾斜面以外の平面の大部分にきわめて小さな複数の孔２０ｄが設けられている。洗浄水の多くは、この孔２０ｄから水溜部１８に落下する。この孔２０ｄから落下しなかった洗浄水は、残菜とともに凹部２０ａの下面に配設された残菜フィルタ２３に流入する。
【００３８】
水溜部蓋２０の凹部２０ａの側面上部には、溢水口２０ｃが設けられている。洗浄水が給水される洗浄水位（図１２中にＡで示されている）は、溢水口２０ｃよりやや低い高さ位置に設定されているが、運転中に残菜フィルタ２３および水溜部蓋２０の目詰まりのために洗浄水の水位が上昇した場合、洗浄水は溢水口２０ｃから溢れて排水される。
【００３９】
排水口１９には、残菜を捕集する残菜フィルタ２３が配設されている。残菜フィルタ２３は、水溜部蓋２０の凹部２０ａの下面より下方に配設されている。
【００４０】
図１２、図１３に示されるように、排水口１９は、洗浄水循環経路２１を通じて洗浄ポンプ２２の吸い込み側に連通している。洗浄工程およびすすぎ工程において、洗浄水は、水溜部蓋２０の孔２０ｄを通過したり、残菜フィルタ２３を通過したりして水溜部１８および排水口１９に溜まる。水溜部１８および排水口１９に溜まった洗浄水は、洗浄ポンプ２２に吸い込まれて加圧され、分水部（図示せず）によって送水先が選択され、分水されて送水される。
【００４１】
分水されて送水される洗浄水は、第１の回転洗浄ノズル１４、第２の回転洗浄ノズル１５、固定洗浄ノズル１６および固定洗浄ノズル１６と連通された第３の回転洗浄ノズル１７に供給され、各ノズルの噴射孔から噴射される。噴射された洗浄水は、被洗浄物６を洗浄もしくはすすぎ、再び水溜部１８および排水口１９に戻る。このようにして、洗浄工程もしくはすすぎ工程において、洗浄水は循環される。
【００４２】
洗浄ポンプ２２にはヒータ２５が内設されている。循環される洗浄水は、ヒータ２５に
通電されることにより、必要に応じて適宜加熱される。また、洗浄水の温度を検知する温度センサ２９が、洗浄槽２の底部の外壁に設置されている。温度センサ２９が設置される洗浄槽２の底部の外壁部分は、洗浄槽２の内側に膨出されている。その膨出部２ｅの内部に温度センサ２９を配設することにより、温度センサ２９の検出感度を向上させている。制御部は、温度センサ２９の検知情報に基づいて、ヒータ２５の通電を制御する。温度センサ２９は、サーミスタ等により構成されている。なお、温度センサ２９は、乾燥工程において洗浄槽２内の空気の温度を検知する空気温度センサも兼ねている。
【００４３】
また、排水口１９は、排水経路２６を通じて排水ポンプ２７の吸い込み側に連通している。洗浄工程およびすすぎ工程が完了して排水される洗浄水は、排水ポンプ２７によって排水経路２６から排水ホース９７を経由して食器洗い機の外部に排出される。
【００４４】
次に、排水口１９の構成を、図１１〜図１３を用いて説明する。図１１〜図１３に示されるように、排水口１９は、中央に位置する機外排水口４１と、その周囲に機外排水口４１とは隔離して設けられた中空円環状の循環排水口４２とによって構成されている。
【００４５】
機外排水口４１は、上面、下面、外周面および内周面で囲まれた円環状の機外排水室４３を備えている。機外排水室４３の下面は、水溜部１８のほぼ中央部に一段低く設けられた凹部の底面の一部をさらに凹設して円形に形成された底面で構成されている。機外排水室４３の上面、外周面および内周面は、機外排水口外郭４４で構成されている。
【００４６】
機外排水口外郭４４は、円周状に形成された外周面４４ａと、外周面４４ａと連続させて形成された上面４４ｂと、外周面４４ａを形成する円の中心に、外周面４４ａの下端とほぼ同じ高さから垂直に上面４４ｂより高く設けられた軸部４４ｃと、軸部４４ｃの上端部に水平に円板状に張り出して設けられた洗浄水拡散部４４ｄと、洗浄水拡散部４４ｄと上面４４ｂとを４点で連続させる円周接続部４４ｅとから構成されている。
【００４７】
洗浄水拡散部４４ｄの下部で複数の円周接続部４４ｅの間は、複数の円弧形状の洗浄水排水吸込口４５が設けられている。洗浄水排水吸込口４５は、排水される洗浄水をすみやかに機外排水室４３に導くために十分な面積が確保されて設けられている。
【００４８】
円板状の洗浄水拡散部４４ｄの上面は、排水される洗浄水を円周の全方向に拡散するために、中心部が外周部より高い凸面状に形成されている。
【００４９】
機外排水室４３は、排水経路２６を通じて排水ポンプ２７の吸い込み側に連通している。
【００５０】
循環排水口４２は、上面、下面、外周面および内周面で囲まれた円環状の循環排水室４６を備えている。循環排水室４６の下面は、水溜部１８のほぼ中央部にさらに一段低く設けられた凹部の底面の一部で構成されており、上面、外周面および内周面は、循環排水口外郭４７で構成されている。循環排水口外郭４７の上面４７ａには、多数の孔より成る洗浄水循環上部吸込口４８ａ（上部吸込口）が設けられている。循環排水口外郭４７の内周面４７ｂには、多数の孔より成る洗浄水循環内周吸込口４８ｂ（内周吸込口）が設けられている。以降、洗浄水循環上部吸込口４８ａと洗浄水循環内周吸込口４８ｂとは、設けられている面を区分けする必要がない場合は、洗浄水循環吸込口４８と総称する。洗浄水循環吸込口４８は、水溜部１８のほぼ中央部の一段低い凹部に開放されている。循環排水室４６は、洗浄水循環経路２１を通じて洗浄ポンプ２２の吸い込み側に連通している。
【００５１】
機外排水口外郭４４および循環排水口外郭４７は、樹脂で一体に形成されている。機外排水口外郭４４および循環排水口外郭４７は、洗浄槽２の水溜部１８とは別部材で構成さ
れている。
【００５２】
循環排水室４６の構成を図１４〜図１９を用いて詳しく説明する。図１４は、本発明の実施の形態１における食器洗い機の排水口の上面斜視図である。図１５は、排水口の分解斜視図である。図１６は、排水口外郭部材の要部断面下面斜視図である。
【００５３】
図１１、図１２、図１４および図１５に示されるように、排水口１９は、機外排水口外郭４４および循環排水口外郭４７が一体で樹脂成形された排水口外郭部材４９と、水溜部１８の底面の一部である排水口底面部１８ｂとで構成されている。排水口外郭部材４９が上方から排水口底面部１８ｂに外周部で嵌合され、上方からビス固定されることにより、排水口１９は形成される。同時に、機外排水口外郭４４と排水口底面部１８ｂとによって機外排水室４３が形成される。また同時に、循環排水口外郭４７と排水口底面部１８ｂとによって循環排水室４６が形成される。排水口１９の中央部には、前述された洗浄水拡散部４４ｄと複数の洗浄水排水吸込口４５とが位置している。
【００５４】
排水口外郭部材４９には、洗浄水循環経路２１の循環経路導入部２１ａの上部を形成する循環経路導入部上部２１ｂと、排水経路２６の排水経路導入部２６ａの上部を形成する排水経路導入部上部２６ｂとが、一体成形により形成されている。排水口底面部１８ｂには、洗浄水循環経路２１の循環経路導入部２１ａの下部を形成する循環経路導入部下部２１ｃと、排水経路２６の排水経路導入部２６ａの下部を形成する排水経路導入部下部２６ｃとが、一体成形により形成されている。排水口外郭部材４９が排水口底面部１８ｂに固定され、排水口１９が形成されると同時に、循環経路導入部２１ａおよび排水経路導入部２６ａが形成される。
【００５５】
図１６に示されるように、排水口外郭部材４９には、循環排水口外郭４７の上面４７ａの下面および内周面４７ｂの内側に連続させて複数の整流リブ４７ｃが放射状に設けられている。複数の整流リブ４７ｃは、前述された洗浄水循環上部吸込口４８ａ（上部吸込口）の孔および洗浄水循環内周吸込口４８ｂ（内周吸込口）の孔の左右に、それらとほぼ直角に形成されている。この構成により、洗浄水循環上部吸込口４８ａの複数の孔および洗浄水循環内周吸込口４８ｂの複数の孔は、放射状に配設された複数の整流リブ４７ｃに対応する位置に配設される。
【００５６】
放射状に設けられた複数の整流リブ４７ｃ、洗浄水循環上部吸込口４８ａの複数の孔、洗浄水循環内周吸込口４８ｂの複数の孔はいずれも、洗浄水拡散部４４ｄと複数の洗浄水排水吸込口４５と同心円状に配設されている。
【００５７】
複数の整流リブ４７ｃは、洗浄水循環上部吸込口４８ａの孔および洗浄水循環内周吸込口４８ｂの孔から流れ込んだ洗浄水が洗浄水循環経路２１に吸い込まれる際の流れを、循環経路導入部２１ａに近い部分に集中させず、分散するように整流する。
【００５８】
なお、複数の整流リブ４７ｃ、洗浄水循環上部吸込口４８ａの孔および洗浄水循環内周吸込口４８ｂの孔の放射状に配設される角度は、本実施の形態では約１５°であるが、これに限定されるものではなく、また、一定の角度でなくてもよい。また、これらは、円周すべてに配設されていなくてもよい。本実施の形態では、排水経路導入部上部２６ｂ近傍には配設されていない。また、整流リブ４７ｃと洗浄水循環上部吸込口４８ａの孔および洗浄水循環内周吸込口４８ｂの孔との対応は、１対１でなくてもよい。
【００５９】
円周状の遮蔽リブ４７ｄが、循環排水口外郭４７の上面４７ａの下面から下方に延設されている。円周状の遮蔽リブ４７ｄは、放射状に配設された複数の整流リブ４７ｃの外周部を連続させるように形成されている。遮蔽リブ４７ｄの下方への延設は、整流リブ４７
ｃの高さより短く設定されている。
【００６０】
遮蔽リブ４７ｄは、洗浄水循環上部吸込口４８ａの孔および洗浄水循環内周吸込口４８ｂの孔から流れ込んだ洗浄水が洗浄水循環経路２１に吸い込まれる際の流れを、下方に導く。これにより、洗浄ポンプ２２におけるエア咬みの発生を防止する。
【００６１】
図１５に示されるように、排水口底面部１８ｂには、循環経路導入部下部２１ｃの近傍に流路制御リブ１８ｃが立設されている。流路制御リブ１８ｃは、両端部と排水口底面部１８ｂの外壁との間に洗浄水循環経路２１に吸い込まれる洗浄水が流れる流路を確保して、円弧状に形成されている。円弧状の流路制御リブ１８ｃは、排水口１９が組み上がった状態で、循環排水口外郭４７の円周状の遮蔽リブ４７ｄとほぼ中心が一致するように設けられている。
【００６２】
流路制御リブ１８ｃは、洗浄水循環上部吸込口４８ａの孔および洗浄水循環内周吸込口４８ｂの孔から吸込口６１に流れ込み、循環経路導入部２１ａに近い位置の吸込口６１から流出する洗浄水の流路を、循環経路導入部２１ａに向かって短絡せず迂回するように流路制御し、円弧形状の側面によって抵抗を少なくしつつ洗浄水循環経路２１に導く。
【００６３】
循環排水室４６の構成を、図を参照してさらに詳しく説明する。図１７は、排水口の上面断面図である。図１８は、図１４のＡ−Ａ断面図である。図１９は、図１４のＢ−Ｂ断面図である。
【００６４】
図１７〜図１９に示されるように、循環排水室４６は、循環排水口外郭４７の内周面４７ｂ寄りに連続させて放射状に配置された複数の吸込口６１と、複数の吸込口６１の外側の周囲に円環状に設けられた洗浄水円環流路６２と、洗浄水円環流路６２と循環経路導入部２１ａとを連通させる２つの循環経路連通流路６３ａおよび６３ｂとを備えている。
【００６５】
吸込口６１は、循環排水口外郭４７の上面４７ａと、循環排水口外郭４７の内周面４７ｂと、相隣る２つの整流リブ４７ｃと、遮蔽リブ４７ｄと、排水口底面部１８ｂの底面とによって形成されている。
【００６６】
吸込口６１の上面には、洗浄水循環上部吸込口４８ａの孔が位置している。吸込口６１の内周面には、洗浄水循環内周吸込口４８ｂの孔が位置している。遮蔽リブ４７ｄの下方への延設を整流リブ４７ｃの高さより短くすることにより、遮蔽リブ４７ｄの下方に、吸込口６１から洗浄水循環経路２１に向けて洗浄水が流出する流出口６４が形成されている。
【００６７】
洗浄水円環流路６２は、遮蔽リブ４７ｄと、排水口外郭部材４９の外壁および排水口底面部１８ｂの外壁と、循環排水口外郭４７の上面４７ａと、排水口底面部１８ｂの底面とによって形成されている。
【００６８】
循環経路連通流路６３ａおよび６３ｂは、流路制御リブ１８ｃの端部と、排水口底面部１８ｂの外壁との間に形成されている。
【００６９】
なお、後述されるように、残菜フィルタ２３が排水口１９に取り付けられた状態では、第１のフィルタ５１の外周部５１ａの下部が循環排水口外郭４７の内周面４７ｂに挿入されている。
【００７０】
食器洗い機の洗浄およびすすぎ動作時の排水口１９における洗浄水の流れを説明する。
【００７１】
被洗浄物６を洗浄あるいはすすいだ後、循環排水口外郭４７の上面４７ａに落下してきた洗浄水は、洗浄水循環上部吸込口４８ａの孔および洗浄水循環内周吸込口４８ｂの孔から、それらに対応する位置の吸込口６１に流れ込む。一方、被洗浄物６を洗浄あるいはすすいだ後、残菜フィルタ２３内に落下した洗浄水は、第１のフィルタ５１の外周部５１ａのメッシュ状の孔５１ｂを通過した後、洗浄水循環内周吸込口４８ｂの孔もしくは洗浄水循環上部吸込口４８ａの孔から、それらに対応する位置の吸込口６１に流れ込む。
【００７２】
図１７中に矢印で示されるように、循環経路導入部２１ａに近い位置の吸込口６１に流れ込んだ洗浄水は、遮蔽リブ４７ｄの下方に設けられた流出口６４から流出し、流路制御リブ１８ｃによって流路制御され、流路制御リブ１８ｃの端部に位置する循環経路連通流路６３ａもしくは６３ｂから循環経路導入部２１ａに吸い込まれる。一方、循環経路導入部２１ａから離れた位置の吸込口６１に流れ込んだ洗浄水は、遮蔽リブ４７ｄの下方に設けられた流出口６４から流出し、洗浄水円環流路６２内を流れて、循環経路連通流路６３ａもしくは６３ｂから循環経路導入部２１ａに吸い込まれる。
【００７３】
次に、排水口１９に配設されている残菜フィルタ２３の構成を、図を参照して詳しく説明する。図２０は、本発明の実施の形態１における食器洗い機の残菜フィルタに関連する部分の分解斜視図である。
【００７４】
図２０に示されるように、残菜フィルタ２３は、外周部を形成する第１のフィルタ５１と、第１のフィルタ５１の内側に配設される第２のフィルタ５２によって構成されている。排水口１９に取り付けられる状態においては、第２のフィルタ５２が第１のフィルタ５１の内側に挿入され、係止されて一体化され、第１のフィルタ５１が排水口１９に係止されて固定されている。
【００７５】
第１のフィルタ５１は、底の無い略円筒状に形成されている。円筒状の外周部５１ａは、ステンレス等の金属板で、洗浄水が双方向に流通可能な多数の孔５１ｂがメッシュ状に形成されている。
【００７６】
第２のフィルタ５２は、樹脂材料で有底略円筒状の手桶形状に形成されている。有底略円筒状に形成された本体部５２ａの外周部５２ｂの上面から、上方に伸びる１本の把手部５２ｃが形成されている。把手部５２ｃは、第２のフィルタ５２を第１のフィルタ５１に対し着脱する際に、使用者が手で持って上下方向に操作する。把手部５２ｃは、第１のフィルタ５１と第２のフィルタ５２が一体となった状態で排水口１９対し着脱される際に、使用者が手で持って水平に回転させるように操作する。
【００７７】
第２のフィルタ５２が第１のフィルタ５１の内側に挿入され一体化された状態において、第２のフィルタ５２の外周部５２ｂの外面は、第１のフィルタ５１の外周部５１ａの内面に対向している。第２のフィルタ５２の本体部５２ａの外周部５２ｂには、洗浄水が双方向に流通可能な多数の孔５２ｄが設けられている。この孔５２ｄは、第１のフィルタ５１の孔５１ｂより大きく設定されている。図１３に示されるように、第２のフィルタ５２の底部５２ｅは、その中央部が内側（上側）に傘状に膨出され、第２の洗浄水拡散部５２ｆを形成している。そして、第２のフィルタ５２の底部５２ｅの第２の洗浄水拡散部５２ｆの周囲に、円弧状の複数のスリット５２ｇが形成されている。第２の洗浄水拡散部５２ｆは、排水口１９の循環排水室４６の上面４７ａに設けられた洗浄水循環吸込口４８より高い位置に設けられている。
【００７８】
残菜フィルタ２３が排水口１９に取り付けられた状態では、第１のフィルタ５１の外周部５１ａの下部が排水口１９の循環排水口４２の内周面（循環排水口外郭４７の内周面４７ｂ）に挿入されている。排水口１９に設けられた洗浄水拡散部４４ｄは、第１のフィル
タ５１の内側で、第１のフィルタ５１の下端より上側に位置している。また、第２のフィルタ５２の底部５２ｅが機外排水口外郭４４の洗浄水拡散部４４ｄの直上近傍に位置している。したがって、第２のフィルタ５２の底部５２ｅに設けられた第２の洗浄水拡散部５２ｆは、排水口１９に設けられた洗浄水拡散部４４ｄの直上に位置する。第１のフィルタ５１の外周部５１ａの上部半分以上に設けられた孔５１ｂ、および、第２のフィルタ５２の本体部５２ａの外周部５２ｂに設けられた孔５２ｄは、循環排水口外郭４７の上面４７ａより高い位置に設けられ、水溜部１８の内部に臨ませて設けられている。
【００７９】
以上のように構成された食器洗い機について、その動作および作用を説明する。
【００８０】
使用者が下扉体５の扉体オープンボタン１１を押し込むと、扉体ロック装置１２のロックが解除され、下扉体５の上端部が少し前方に開かれる。次いで、使用者が下扉体５の上端部に手を掛け前方下方に引くことによって、下扉体５は本体１の前方下方に開かれる。このとき、上扉体４も扉体開閉機構１０によって連動して本体１の前方下方に開かれる。そして、上扉体４と下扉体５は、上扉体４が下扉体５の上に重なった状態で、ほぼ水平状態まで開成され、洗浄槽２の前面の開口部３は前方に開放される。
【００８１】
使用者は、開放された洗浄槽２の開口部３から下食器かご８を前方に引き出し、洗浄したい被洗浄物６を下食器かご８にセットする。本実施の形態における下食器かご８は、下記のような被洗浄物６がセットされるのに適した構成となっている。箸、フォーク、スプーン等は、下食器かご８の中央やや右寄りに設けられた専用の小物入れ８９に収容される。小物入れ８９の右側には、大皿、ラーメン鉢等の比較的大きい食器が収容される。小物入れ８９の左側の第３のセットかご８８には、丼鉢、小鉢、中皿等が収容される。
【００８２】
下食器かご８に被洗浄物６のセッティングが終了すると、使用者は、下食器かご８を洗浄槽２内に押し込み収容する。
【００８３】
次に、使用者は、上食器かご７を前方に引き出し、洗浄したい被洗浄物６を上食器かご７にセットする。本実施の形態における上食器かご７は、下記のような被洗浄物６がセットされるのに適した構成となっている。上食器かご７の左側の第１のセットかご７８には、茶碗、汁椀、小皿等が収容される。上食器かご７の右側の第２のセットかご７９には、コップ、弁当箱、碗類等が収容される。
【００８４】
上食器かご７に被洗浄物６のセッティングが終了すると、使用者は、上食器かご７を洗浄槽２内に押し込み収容する。
【００８５】
次に、使用者は、適量の洗剤を下食器かご８に設けられた洗剤投入部９０から洗浄槽２の水溜部１８に投入し、上扉体４および下扉体５を閉じる。使用者は、操作表示部１３によって電源を投入し、運転コースおよび時間等の条件を入力し、スタートボタンを押す。すると、制御部は、食器洗い機の運転を開始し、入力された条件にしたがって洗浄工程、すすぎ工程、乾燥工程を順に実行する。
【００８６】
まず、給水弁が動作して、所定量の洗浄水が洗浄槽２内に給水される。給水弁が停止し、給水が終わると、洗浄ポンプ２２が駆動される。洗浄水はヒータ２５によって加熱され、洗浄ポンプ２２によって加圧されて、分水部から第１の回転洗浄ノズル１４、第２の回転洗浄ノズル１５、固定洗浄ノズル１６および固定洗浄ノズル１６と連通された第３の回転洗浄ノズル１７に選択的に分水されて送水される。
【００８７】
分水部は、例えば、第１の回転洗浄ノズル１４、第１の回転洗浄ノズル１４と第２の回転洗浄ノズル１５、第２の回転洗浄ノズル１５、固定洗浄ノズル１６とそれに連通した第
３の回転洗浄ノズル１７の順に所定時間毎に洗浄水の送水を切り替えるように動作する。
【００８８】
第１の回転洗浄ノズル１４、第２の回転洗浄ノズル１５および第３の回転洗浄ノズル１７は、送給された洗浄水がそれぞれの噴射孔から噴出される際の反力によって回転する。これにより、回転移動する洗浄水が噴射され、下食器かご８および上食器かご７に収容された被洗浄物６は効率よく洗浄される。
【００８９】
固定洗浄ノズル１６は、垂直部位１６ａに設けられた噴射孔から洗浄水を上食器かご７の上方から噴射して上食器かご７に収容されたコップ等の被洗浄物６の外面を効率よく洗浄する。また、固定洗浄ノズル１６は、上食器かご７の下に設けられた第１の水平部位１６ｂに配列された噴射孔から洗浄水を主に上食器かご７の右側に噴射し、上食器かご７の第２のセットかご７９に斜め下向きに収容されたコップ等の被洗浄物６の内面を効率よく洗浄する。また、固定洗浄ノズル１６は、第２の水平部位１６ｃに配列された噴射孔から洗浄水を噴射することにより、上食器かご７の右側の第２のセットかご７９に収容されたコップ等の被洗浄物６の外面を洗浄する。
【００９０】
さらに、固定洗浄ノズル１６と連通した第３の回転洗浄ノズル１７は、上食器かご７の左側の第１のセットかご７８の直下から回転移動する洗浄水を噴射することにより、第１のセットかご７８に収容された茶碗等の被洗浄物６の内外面を効率よく洗浄する。
【００９１】
洗浄槽２内で、第１の回転洗浄ノズル１４、第２の回転洗浄ノズル１５、固定洗浄ノズル１６および固定洗浄ノズル１６と連通された第３の回転洗浄ノズル１７から噴射された洗浄水は、被洗浄物６を洗浄して洗浄槽２の下部の水溜部１８に流下し、排水口１９に集められる。そして、再び洗浄ポンプ２２によって吸引され、残菜フィルタ２３を通過し、ヒータ２５によって加熱され、再び各洗浄ノズルに送給される。
【００９２】
洗浄水が噴射されて被洗浄物６から脱落した残菜は、水溜部蓋２０および残菜フィルタ２３によって捕集される。また、洗浄水の温度は温度センサ２９によって検出されており、洗浄水の温度が所定温度を超えるとヒータ２５への通電が停止される。これによって、洗浄水は、常に洗浄に適した温度に維持される。
【００９３】
所定時間の洗浄工程が終了すると、汚れを含む洗浄水は排水ポンプ２７によって機外に排出され、洗浄槽２内に新たに洗浄水が給水される。給水された洗浄水は洗浄ポンプ２２によって加圧され、第１の回転洗浄ノズル１４、第２の回転洗浄ノズル１５、固定洗浄ノズル１６および固定洗浄ノズル１６と連通された第３の回転洗浄ノズル１７に送給される。送給された洗浄水は、各洗浄ノズルの噴射孔から噴射され、被洗浄物６に付着した洗剤や残菜等を洗い流すすすぎ工程が実行される。
【００９４】
このすすぎ工程は、所定時間、すすぎ動作が行われた後、すすぎ動作によって被洗浄物６から洗剤や残菜が洗い出された洗浄水は、排水ポンプ２７によって機外に排出される。そして、洗浄槽２内には新たな洗浄水が給水され、再びすすぎ動作が行われる。標準設定では、このすすぎ動作が３回実行され、洗浄水が排水ポンプ２７によって機外に排出されて、すすぎ工程は終了する。
【００９５】
ここで、洗浄およびすすぎ動作時の残菜フィルタ２３および排水口１９まわりの洗浄水の流れについて、図を参照して説明する。図２１は、洗浄およびすすぎ動作時の残菜フィルタ２３および排水口１９まわりの洗浄水の流れを示す説明図である。
【００９６】
洗浄およびすすぎ動作時においては、水溜部１８に溜まった洗浄水は、洗浄ポンプ２２によって吸引され、循環排水口外郭４７の上面４７ａに設けられた多数の孔から成る洗浄
水循環吸込口４８から洗浄水循環経路２１に吸い込まれる。洗浄水循環吸込口４８は、残菜フィルタ２３より外側に円周状に設けられている。また、洗浄水循環吸込口４８は、第１のフィルタ５１の外周部５１ａに設けられた孔５１ｂおよび第２のフィルタ５２の本体部５２ａの外周部５２ｂに設けられた孔５２ｄの大半より低い位置に設けられている。また、洗浄水循環吸込口４８は、第２のフィルタ５２の底部５２ｅに設けられた第２の洗浄水拡散部５２ｆより低い位置に設けられている。
【００９７】
この構成によって、洗浄およびすすぎ動作時においては、洗浄水は、図２１に示されるように、概ね矢印Ｃで表示されたように流れる。洗浄水は、第１のフィルタ５１の孔５１ｂおよび第２のフィルタ５２の孔５２ｄにおいて、概ね内側から外側に向かって流れる。
【００９８】
このとき、循環される洗浄水に含まれる残菜や汚れは、大きい残菜は第２のフィルタ５２によって捕集され、細かい残菜および汚れは第１のフィルタ５１によって捕集される。特に、洗浄水に含まれる汚れは第１のフィルタ５１の内周面に付着する。
【００９９】
洗浄水循環吸込口４８から洗浄水循環経路２１に吸い込まれるまでの洗浄水の流れの詳細は、図１７を参照して前述された通りであるが、再度、説明する。洗浄水循環吸込口４８から循環経路導入部２１ａに近い位置の吸込口６１に流れ込んだ洗浄水は、遮蔽リブ４７ｄの下方に設けられた流出口６４から流出し、流路制御リブ１８ｃによって流路制御され、流路制御リブ１８ｃの端部に位置する循環経路連通流路６３ａもしくは６３ｂから循環経路導入部２１ａに吸い込まれる。一方、洗浄水循環吸込口４８から循環経路導入部２１ａに遠い位置の吸込口６１に流れ込んだ洗浄水は、遮蔽リブ４７ｄの下方に設けられた流出口６４から流出し、洗浄水円環流路６２内を流れて、循環経路連通流路６３ａもしくは６３ｂから循環経路導入部２１ａに吸い込まれる。
【０１００】
汚れの第１のフィルタ５１の内周面への付着は、洗浄水循環経路２１に近い部分に集中する傾向があるが、洗浄水循環経路２１に洗浄水が吸い込まれる複数の吸込口６１が第１のフィルタ５１の外周位置に放射状に配設されたこと、および排水口１９に設けられた洗浄水拡散部４４ｄおよび第２のフィルタ５２に設けられた第２の洗浄水拡散部５２ｆによって全周に均等に拡散されることにより、細かい残菜や汚れが第１のフィルタ５１の内周面の一部に集中して付着することが抑制される。
【０１０１】
また、洗浄水循環経路２１に洗浄水が吸い込まれる複数の吸込口６１が放射状に配設されたこと、および循環経路導入部２１ａの近傍に流路制御リブ１８ｃが立設されたことにより、洗浄水の流れを循環経路導入部２１ａに近い部分に集中させず効果的に分散させ、洗浄水を洗浄水循環経路２１にスムーズに吸い込ませている。
【０１０２】
また、残菜フィルタ２３内に落下し、第１のフィルタ５１の外周部５１ａのメッシュ状の孔５１ｂを通過して洗浄水循環内周吸込口４８ｂから吸込口６１に流入する洗浄水は、排水口１９に設けられた洗浄水拡散部４４ｄおよび残菜フィルタ２３の第２のフィルタ５２に設けられた第２の洗浄水拡散部５２ｆによって放射状に拡散されている。これによって、細かい残菜や汚れが第１のフィルタ５１の内周面の一部に集中して付着することが抑制される効果と、洗浄水の流れを循環経路導入部２１ａに近い部分に集中させず効果的に分散させ、洗浄水を洗浄水循環経路２１にスムーズに吸い込ませる効果を一層増強させている。
【０１０３】
また、遮蔽リブ４７ｄによっては、吸込口６１から洗浄水循環経路２１に吸い込まれる洗浄水の流れを下方に導き、洗浄ポンプ２２におけるエア咬みの発生を防止している。
【０１０４】
すすぎ工程が終了すると、乾燥工程が実行される。乾燥装置３０が動作し、内蔵された
ファン３１によって洗浄槽２内に送給される外気がヒータによって加熱され、送風と加温との両方の効果によって、被洗浄物６に付着した水滴の蒸発が行われる。この乾燥が所定時間実施された後、乾燥装置３０の運転が停止されて乾燥工程が終了する。被洗浄物６の洗浄のすべての工程が終了し、選択された運転コースの実行が終了する。
【０１０５】
以上のように、本実施の形態における食器洗い機は、本体１と、本体１内に設けられ、食器等の被洗浄物６を収容する洗浄槽２と、洗浄槽２内に収容された被洗浄物６を洗浄する第１の回転洗浄ノズル１４等の洗浄ノズルと、洗浄槽２の底部に設けられた排水口１９と、洗浄槽２内の洗浄水を第１の回転洗浄ノズル１４等の洗浄ノズルに送水する洗浄ポンプ２２と、排水口１９と洗浄ポンプ２２とを連通する洗浄水循環経路２１と、排水口１９に着脱自在に固定される残菜フィルタ２３とを備え、排水口１９に主部が円環状に形成された循環排水室４６が設けられ、循環排水室４６内に排水口１９から洗浄水循環経路２１に洗浄水が吸い込まれる複数の吸込口６１が放射状に配設されて構成されている。
【０１０６】
この構成によって、排水口１９の循環排水室４６に流れ込んだ洗浄水の流れを洗浄水循環経路２１に近い部分に集中させず効果的に分散させ、洗浄水を洗浄水循環経路２１にスムーズに吸い込ませることができる。したがって、排水口１９から洗浄水循環経路２１に吸い込まれる洗浄水の流れを改善し、洗浄力を維持するとともに残菜フィルタ２３の清掃頻度を少なくすることができる。
【０１０７】
また、放射状に配設された複数の吸込口６１は、循環排水室４６内に複数の整流リブ４７ｃが放射状に設けられて形成されている。この構成によって、簡単な構成で循環排水室４６内に流れ込んだ洗浄水の流れを整流して洗浄水循環経路２１に近い部分に集中させず効果的に分散させ、洗浄水を洗浄水循環経路２１にスムーズに吸い込ませることができる。
【０１０８】
また、放射状に配設された複数の吸込口６１に、吸い込まれる洗浄水の流れを下方に導く遮蔽リブ４７ｄが設けられている。この構成によって、吸込口６１から洗浄水循環経路２１に吸い込まれる洗浄水の流れを下方に導き、洗浄ポンプ２２におけるエア咬みの発生を防止することができる。
【０１０９】
また、循環排水室４６の上部に円周状に複数の洗浄水循環上部吸込口４８ａが設けられ、洗浄水循環上部吸込口４８ａは、放射状に配設された複数の吸込口６１に対応する位置に配設されている。この構成によって、循環排水室４６の上部に落下してきた洗浄水を個々の吸込口６１に流入させ、洗浄水の流れを洗浄水循環経路２１に近い部分に集中させず効果的に分散させることができる。
【０１１０】
また、循環排水室４６の内周に複数の洗浄水循環内周吸込口４８ｂが設けられ、洗浄水循環内周吸込口４８ｂは、放射状に配設された複数の吸込口６１に対応する位置に配設されている。この構成によって、残菜フィルタ２３を通過してきた洗浄水を個々の吸込口６１に流入させ、洗浄水の流れを洗浄水循環経路２１に近い部分に集中させず効果的に分散させることができる。また、排水口１９に設けられた洗浄水拡散部４４ｄおよび残菜フィルタ２３に設けられた第２の洗浄水拡散部５２ｆとも共働して、洗浄水をより効果的に分散させて個々の吸込口６１に流入させることができる。
【０１１１】
また、循環排水室４６の洗浄水循環経路２１に連通する部分の近傍に、流路制御リブ１８ｃが設けられている。この構成によって、洗浄水循環経路２１に近い位置の吸込口６１から流出した洗浄水の流路を、洗浄水循環経路２１に向かって短絡せず迂回するように制御し、洗浄水を流路制御リブ１８ｃの円弧形状の側面によって抵抗を少なくしつつ洗浄水循環経路２１に導くことができる。
【０１１２】
さらに、流路制御リブ１８ｃは、主部が円環状に形成された循環排水室４６の中心と循環排水室４６の洗浄水循環経路２１に連通する部分とを結ぶ直線上に、少なくとも一部が位置するように設けられている。この構成によって、洗浄水を洗浄水循環経路２１に向かって短絡せず迂回させる流路制御を、確実に行わせることができる。
【産業上の利用可能性】
【０１１３】
以上のように、本発明にかかる食器洗い機は、排水口から洗浄水循環経路に吸い込まれる洗浄水の流れを改善し、洗浄力を維持するとともに残菜フィルタの清掃頻度を少なくした食器洗い機を提供することができるので、キッチンのワークトップ等に載置して使用される家庭用の食器洗い機等として有用である。
【符号の説明】
【０１１４】
１  本体
２  洗浄槽
３  開口部
４  上扉体（扉体）
５  下扉体
６  被洗浄物
７  上食器かご
８  下食器かご
１４  第１の回転洗浄ノズル（洗浄装置）
１５  第２の回転洗浄ノズル（洗浄装置）
１６  固定洗浄ノズル（洗浄装置）
１７  第３の回転洗浄ノズル（洗浄装置）
１７ａ  回転洗浄ノズル導水路
１８  水溜部
１８ｂ  排水口底面部
１８ｃ  流路制御リブ
１９  排水口
２０  水溜部蓋
２１  洗浄水循環経路
２１ａ  循環経路導入部
２２  洗浄ポンプ
２３  残菜フィルタ
２５  ヒータ
２６  排水経路
２７  排水ポンプ
２９  温度センサ
３０  乾燥装置
４１  機外排水口
４２  循環排水口
４４ｄ  洗浄水拡散部
４５  洗浄水排水吸込口
４６  循環排水室
４７  循環排水口外郭
４７ｃ  整流リブ
４７ｄ  遮蔽リブ
４８  洗浄水循環吸込口
４８ａ  洗浄水循環上部吸込口（上部吸込口）
４８ｂ  洗浄水循環内周吸込口（内周吸込口）
４９  排水口外郭部材
５１  第１のフィルタ
５２  第２のフィルタ
６１  吸込口
６２  洗浄水円環流路
６３ａ、６３ｂ  循環経路連通流路
６４  流出口
【図１】
2019080602.tif 000003
【図２】
2019080602.tif 000004
【図３】
2019080602.tif 000005
【図４】
2019080602.tif 000006
【図５】
2019080602.tif 000007
【図６】
2019080602.tif 000008
【図７】
2019080602.tif 000009
【図８】
2019080602.tif 000010
【図９】
2019080602.tif 000011
【図１０】
2019080602.tif 000012
【図１１】
2019080602.tif 000013
【図１２】
2019080602.tif 000014
【図１３】
2019080602.tif 000015
【図１４】
2019080602.tif 000016
【図１５】
2019080602.tif 000017
【図１６】
2019080602.tif 000018
【図１７】
2019080602.tif 000019
【図１８】
2019080602.tif 000020
【図１９】
2019080602.tif 000021
【図２０】
2019080602.tif 000022
【図２１】
2019080602.tif 000023
【図２２】
2019080602.tif 000024